(57)【要約】【課題】キャリッジの走査方向における位置を検出する検出部のキャリッジに対する着脱を容易にしつつ、検出部の姿勢を好適に保つ。【解決手段】液体を吐出するヘッド４を備え、走査方向Ｂに移動可能に構成されるキャリッジ６と、走査方向Ｂに沿って目盛１８ａが形成されるスケール部１８と、目盛１８ａを読み取ってキャリッジ６の走査方向Ｂにおける位置を検出する検出部１９と、検出部１９を保持し、ヘッド４からの液体の吐出方向に沿う方向からキャリッジ６に着脱可能に設けられる保持部１６と、を備え、保持部１６は、検出部１９よりも吐出方向における上流側でキャリッジ６に固定される上流側固定部１６ｊと、検出部１９よりも吐出方向における下流側でキャリッジ６に固定される下流側固定部１６ｉと、を有する液体吐出装置１。【選択図】図７
2018130879.tif 000002
【特許請求の範囲】
【請求項１】
液体を吐出するヘッドを備え、走査方向に移動可能に構成されるキャリッジと、
前記走査方向に沿って目盛が形成されるスケール部と、
前記目盛を読み取って前記キャリッジの前記走査方向における位置を検出する検出部と、
前記検出部を保持し、前記ヘッドからの前記液体の吐出方向に沿う方向から前記キャリッジに着脱可能に設けられる保持部と、を備え、
前記保持部は、前記検出部よりも前記吐出方向における上流側でキャリッジに固定される上流側固定部と、前記検出部よりも前記吐出方向における下流側でキャリッジに固定される下流側固定部と、を有することを特徴とする液体吐出装置。
【請求項２】
請求項１に記載の液体吐出装置において、
前記下流側固定部には、前記保持部が前記キャリッジに取り付けられた際に前記走査方向と交差する方向に前記キャリッジと当接する傾斜面が設けられていることを特徴とする液体吐出装置。
【請求項３】
請求項２に記載の液体吐出装置において、
前記下流側固定部には、前記傾斜面として、前記保持部における第１の側に設けられた第１の傾斜面と、前記保持部における前記第１の側とは反対の第２の側に設けられた第２の傾斜面と、が設けられていることを特徴とする液体吐出装置。
【請求項４】
請求項３に記載の液体吐出装置において、
前記第２の傾斜面は、前記下流側固定部において前記走査方向に間隔を空けて２つ設けられ、
前記下流側固定部は、前記第１の傾斜面と２つの前記第２の傾斜面との３ヶ所で前記キャリッジと当接することを特徴とする液体吐出装置。
【請求項５】
請求項１から４のいずれか１項に記載の液体吐出装置において、
前記保持部は、前記上流側固定部よりも前記吐出方向における上流側に突出した取っ手部が設けられていることを特徴とする液体吐出装置。
【請求項６】
請求項１から５のいずれか１項に記載の液体吐出装置において、
前記保持部が前記キャリッジに取り付けられた状態において前記保持部と前記キャリッジとの間にスリットが形成されることを特徴とする液体吐出装置。
【請求項７】
請求項１から６のいずれか１項に記載の液体吐出装置において、
前記キャリッジは前記保持部を位置決めするピンを有し、
前記上流側固定部は、前記ピンを挿入するピン孔と、ネジを挿入するネジ孔と、を有し、前記ピンが前記ピン孔に挿入された状態でネジ止めすることにより、前記キャリッジに固定されることを特徴とする液体吐出装置。
【発明の詳細な説明】
【技術分野】
【０００１】
本発明は、液体吐出装置に関する。
【背景技術】
【０００２】
従来から、様々な液体吐出装置が使用されている。このうち、液体を吐出するヘッドを備えて走査方向に移動可能に構成されるキャリッジと、キャリッジの走査方向における位置を検出する検出部と、を備える液体吐出装置がある。  
例えば、特許文献１には、インクを吐出する印字ヘッドを備えて走査方向に移動可能に構成されるキャリッジと、キャリッジの走査方向における位置を検出するエンコーダ部材と、を備える画像形成装置（液体吐出装置）が開示されている。
【先行技術文献】
【特許文献】
【０００３】
【特許文献１】特開２００６−１８７９０５号公報
【発明の概要】
【発明が解決しようとする課題】
【０００４】
液体を吐出するヘッドを備えて走査方向に移動可能に構成されるキャリッジと、キャリッジの走査方向における位置を検出する検出部と、を備える液体吐出装置においては、検出部が液体で汚れる場合が有り、検出部を交換及び清掃するために検出部のキャリッジに対する着脱（取り付け及び取り外し）を容易にすることが望まれている。特許文献１に開示される画像形成装置は、装置を分解することなく検出部をキャリッジに対して着脱できるため、検出部のキャリッジに対する着脱は容易であるものの、検出部のキャリッジに対する固定が十分ではなく、検出部の姿勢を好適に保つことができなかった。
【０００５】
そこで、本発明は、キャリッジの走査方向における位置を検出する検出部のキャリッジに対する着脱を容易にしつつ、検出部の姿勢を好適に保つことを目的にする。
【課題を解決するための手段】
【０００６】
上記課題を解決するための本発明の第１の態様の液体吐出装置は、液体を吐出するヘッドを備え、走査方向に移動可能に構成されるキャリッジと、前記走査方向に沿って目盛が形成されるスケール部と、前記目盛を読み取って前記キャリッジの前記走査方向における位置を検出する検出部と、前記検出部を保持し、前記ヘッドからの前記液体の吐出方向に沿う方向から前記キャリッジに着脱可能に設けられる保持部と、を備え、前記保持部は、前記検出部よりも前記吐出方向における上流側でキャリッジに固定される上流側固定部と、前記検出部よりも前記吐出方向における下流側でキャリッジに固定される下流側固定部と、を有することを特徴とする。
【０００７】
本態様によれば、検出部を保持する保持部を吐出方向に沿う方向からキャリッジに着脱（取り付け及び取り外し）可能であるため、装置を分解することなく検出部をキャリッジに対して着脱でき、検出部のキャリッジに対する着脱を容易にできる。また、保持部は、検出部よりも吐出方向における上流側でキャリッジに固定されるとともに、検出部よりも吐出方向における下流側でキャリッジに固定されるので、検出部の姿勢を好適に保つことができる。
【０００８】
本発明の第２の態様の液体吐出装置は、前記第１の態様において、前記下流側固定部には、前記保持部が前記キャリッジに取り付けられた際に前記走査方向と交差する方向に前記キャリッジと当接する傾斜面が設けられていることを特徴とする。
【０００９】
本態様によれば、下流側固定部には保持部がキャリッジに取り付けられた際に走査方向と交差する方向にキャリッジと当接する傾斜面が設けられているので、走査方向と交差する方向に確りと当接して保持部をキャリッジに固定することができ、走査方向にキャリッジが移動しても検出部の姿勢を好適に保つことができる。
【００１０】
本発明の第３の態様の液体吐出装置は、前記第２の態様において、前記下流側固定部には、前記傾斜面として、前記保持部における第１の側に設けられた第１の傾斜面と、前記保持部における前記第１の側とは反対の第２の側に設けられた第２の傾斜面と、が設けられていることを特徴とする。
【００１１】
本態様によれば、保持部における第１の側に設けられた第１の傾斜面と保持部における第２の側に設けられた第２の傾斜面とが設けられているので、走査方向と交差する方向における両側で確りと当接して保持部をキャリッジに固定することができる。
【００１２】
本発明の第４の態様の液体吐出装置は、前記第３の態様において、前記第２の傾斜面は、前記下流側固定部において前記走査方向に間隔を空けて２つ設けられ、前記下流側固定部は、前記第１の傾斜面と２つの前記第２の傾斜面との３ヶ所で前記キャリッジと当接することを特徴とする。
【００１３】
本態様によれば、第１の傾斜面と２つの第２の傾斜面との３ヶ所でキャリッジと当接するので、保持部をキャリッジに特に好適に固定することができる。
【００１４】
本発明の第５の態様の液体吐出装置は、前記第１から第４のいずれか１つの態様において、前記保持部は、前記上流側固定部よりも前記吐出方向における上流側に突出した取っ手部が設けられていることを特徴とする。
【００１５】
本態様によれば、保持部は、上流側固定部よりも吐出方向における上流側に突出した取っ手部が設けられているので、該取っ手部を把持して、特に容易に検出部をキャリッジに対して着脱できる。
【００１６】
本発明の第６の態様の液体吐出装置は、前記第１から第５のいずれか１つの態様において、前記保持部が前記キャリッジに取り付けられた状態において前記保持部と前記キャリッジとの間にスリットが形成されることを特徴とする。
【００１７】
本態様によれば、保持部がキャリッジに取り付けられた状態において保持部とキャリッジとの間にスリットが形成されるので、該スリットからキャリッジ内部が視認でき、特に容易に検出部をキャリッジに対して着脱できる。
【００１８】
本発明の第７の態様の液体吐出装置は、前記第１から第６のいずれか１つの態様において、前記キャリッジは前記保持部を位置決めするピンを有し、前記上流側固定部は、前記ピンを挿入するピン孔と、ネジを挿入するネジ孔と、を有し、前記ピンが前記ピン孔に挿入された状態でネジ止めすることにより、前記キャリッジに固定されることを特徴とする。
【００１９】
本態様によれば、ピンがピン孔に挿入された状態でネジ止めすることによりキャリッジに固定されるので、簡単な構成で、保持部をキャリッジに確りと固定することができる。
【図面の簡単な説明】
【００２０】
【図１】本発明の一実施例に係る印刷装置の概略側面図。
【図２】本発明の一実施例に係る印刷装置の要部の斜視図。
【図３】本発明の一実施例に係る印刷装置の要部の平面図。
【図４】本発明の一実施例に係る印刷装置の要部の側面図。
【図５】本発明の一実施例に係る印刷装置の要部の斜視図。
【図６】本発明の一実施例に係る印刷装置の要部の斜視図。
【図７】本発明の一実施例に係る印刷装置の要部の斜視断面図。
【図８】本発明の一実施例に係る印刷装置の要部の斜視図。
【図９】本発明の一実施例に係る印刷装置の要部の斜視図。
【図１０】本発明の一実施例に係る印刷装置の要部の斜視図。
【図１１】本発明の一実施例に係る印刷装置の要部の側面図。
【図１２】本発明の一実施例に係る印刷装置の要部の側面図。
【図１３】本発明の一実施例に係る印刷装置の要部の背面図。
【図１４】本発明の一実施例に係る印刷装置の要部の平面図。
【図１５】本発明の一実施例に係る印刷装置の要部の側面断面図。
【図１６】本発明の一実施例に係る印刷装置の要部の斜視断面図。
【図１７】本発明の一実施例に係る印刷装置の要部の平面断面図。
【図１８】本発明の一実施例に係る印刷装置の要部の拡大平面断面図。
【図１９】本発明の一実施例に係る印刷装置の要部の斜視図。
【発明を実施するための形態】
【００２１】
以下に、本発明の一実施例に係る液体吐出装置としての印刷装置について、添付図面を参照して詳細に説明する。  
最初に、本発明の一実施例に係る印刷装置の概要について説明する。  
図１は、本実施例に係る印刷装置１の概略側面図である。
【００２２】
本実施例の印刷装置１は、印刷を行うためのロール状の媒体ＭのロールＲ１を支持する支持軸２を備えている。そして、本実施例の印刷装置１は、媒体Ｍを搬送方向Ａに搬送する際、支持軸２は回転方向Ｃに回転する。なお、本実施例では印刷面が外側になるように巻かれているロール式の媒体Ｍを使用しているが、印刷面が内側になるように巻かれているロール式の媒体Ｍを使用する場合は、支持軸２の回転方向Ｃとは逆回転してロールＲ１を送り出すことが可能である。  
また、本実施例の印刷装置１は媒体Ｍとしてロール式の媒体を使用しているが、このようなロール式の媒体を使用する印刷装置に限定されない。例えば、単票式の媒体を用いてもよい。
【００２３】
また、本実施例の印刷装置１は、媒体Ｍを支持する支持部３などからなる媒体Ｍの搬送経路において該媒体Ｍを搬送方向Ａに搬送するための、駆動ローラー７と従動ローラー８とからなる搬送ローラー対５を備えている。  
なお、本実施例の印刷装置１では、駆動ローラー７は媒体Ｍの搬送方向Ａと交差する走査方向Ｂに延びる１本のローラーで構成されており、従動ローラー８は駆動ローラー７と対向する位置において走査方向Ｂに複数並べて設けられている。
【００２４】
なお、支持部３の下部には、支持部３に支持された媒体Ｍを加熱可能な加熱部としてのヒーター１２が設けられている。このように、本実施例の印刷装置１は、加熱部として、支持部３側から媒体Ｍを加熱可能なヒーターを備えているが、支持部３と対向する位置に設けられる赤外線ヒーター等を備えていてもよい。
【００２５】
また、本実施例の印刷装置１は、筐体部１１の内部に、複数のノズルが設けられたノズル形成面の該ノズルから液体としてのインクを吐出するヘッド４と、該ヘッド４を搭載して走査方向Ｂに往復移動可能なキャリッジ６と、を備えている。  
なお、本実施例の印刷装置１では、支持部３上のヘッド４（ノズル形成面）と対向する位置における媒体Ｍの搬送方向Ａは水平方向である方向Ｙに沿う方向であり、ヘッド４の走査方向Ｂは水平方向であって方向Ｙと直交する方向Ｘに沿う方向であり、インクの吐出方向は鉛直方向である方向Ｚに沿う方向（鉛直下方向）である。
【００２６】
ここで、筐体部１１の内部には、フレーム１４が形成され、フレーム１４に取り付けられるとともに方向Ｘに延設されるガイドレール１３が形成されている。そして、ヘッド４が設けられたキャリッジ６は、ガイドレール１３に取り付けられている。本実施例の印刷装置１の要部であるキャリッジ６についての詳細は後述する。
【００２７】
上記のような構成により、ヘッド４は、媒体Ｍの搬送方向Ａと交差する走査方向Ｂに往復移動しながら、搬送される媒体Ｍに不図示のノズルからインクを吐出して印刷することが可能である。このような構成のヘッド４を備えていることにより、本実施例の印刷装置１は、所定量（１パス分）媒体Ｍを搬送方向Ａに搬送させることと、媒体Ｍを停止した状態でヘッド４を走査方向Ｂに移動させながらインクを吐出させることと、を繰り返すことで、媒体Ｍに所望の画像を形成可能である。
【００２８】
また、ヘッド４の媒体Ｍの搬送方向Ａにおける下流側には、媒体ＭをロールＲ２として巻き取り可能な巻取軸１０が備えられている。なお、本実施例では印刷面が外側になるように媒体Ｍを巻き取るので、媒体Ｍを巻き取る際、巻取軸１０は回転方向Ｃに回転する。一方、印刷面が内側になるように巻き取る場合は、回転方向Ｃとは逆回転して巻き取ることが可能である。
【００２９】
また、支持部３における媒体Ｍの搬送方向Ａにおける下流側の端部と、巻取軸１０と、の間には、媒体Ｍとの接触部が走査方向Ｂに延設され、媒体Ｍに所望のテンションを付与することが可能なテンションバー９が設けられている。
【００３０】
次に、本実施例の印刷装置１の要部であるキャリッジ６について説明する。  
ここで、図２は、キャリッジ６及び該キャリッジ６が設けられる周辺領域を表す斜視図である。また、図３は、キャリッジ６及び該キャリッジ６が設けられる周辺領域を表す平面図である。また、図４は、キャリッジ６及び該キャリッジ６が設けられる周辺領域を表す側面図である。また、図５は、キャリッジ６の上面部６ａを上側から見た斜視図である。また、図６は、キャリッジ６におけるインクチューブ１５を外した状態の図５に対応する斜視図である。そして、図７は、キャリッジ６の背面側の一部を表す斜視断面図である。
【００３１】
本実施例のキャリッジ６は、図４で表されるように方向Ｘに延設されるガイドレール１３に嵌合するブロック１７を備え、ガイドレール１３に沿って方向Ｘ（走査方向Ｂ）に移動可能な構成になっている。また、図２から図５で表されるように、不図示のインクカートリッジから供給されるインクをインクチューブ１５によりヘッド４まで供給可能な構成になっている。
【００３２】
なお、上記のように、本実施例の印刷装置１は、キャリッジ６を走査方向Ｂに往復移動させながら、搬送される媒体Ｍにヘッド４の不図示のノズルからインクを吐出して印刷する構成である。このような構成であるため、走査方向Ｂにおけるキャリッジ６の位置を正確に検出する必要がある。そこで、走査方向Ｂにおけるキャリッジ６の位置を正確に検出するため、図２から図４で表されるように走査方向Ｂに沿って目盛１８ａが形成されるスケール部１８（リニアスケール）と、図７で表されるように該目盛１８ａを読み取る検出部１９（エンコーダー）と、が設けられている。なお、図７で表されるように、検出部１９は、保持部１６に保持されている。
【００３３】
また、本実施例のキャリッジ６は、図２から図７及び後述の図８で表されるように、上面部６ａに孔部２０が形成されており、該孔部２０を介して方向Ｚに沿って保持部１６をキャリッジ６に着脱（取り付け及び取り外し）可能に構成されている。なお、本実施例の印刷装置１の要部である保持部１６についての詳細は、後述する。
【００３４】
次に、本実施例の印刷装置１の要部である保持部１６について説明する。  
ここで、図８は、キャリッジ６の上面部６ａの斜視図であって、保持部１６をキャリッジ６に着脱する際の出入り口となる孔部２０の周辺領域を表している。また、図９は、保持部１６の斜視図であり、検出部１９などの装着部材が装着された状態を表している。また、図１０は、図９に対応する保持部１６の斜視図であり、装着部材が外された状態を表している。また、図１１は、保持部１６の側面図であり、検出部１９などの装着部材が装着された状態を表している。また、図１２は、図１１に対応する保持部１６の側面図であり、装着部材が外された状態を表している。また、図１３は、保持部１６の背面図であり、検出部１９などの装着部材が装着された状態を表している。また、図１４は、保持部１６の平面図であり、検出部１９などの装着部材が装着された状態を表している。また、図１５は、保持部１６がキャリッジ６に取り付けられた状態を表す側面断面図である。また、図１６は、図１５の領域αを表す斜視断面図である。また、図１７は、図１５の領域αを表す平面断面図である。また、図１８は、保持部１６をキャリッジ６から取り外した状態における図１７の領域βを表す拡大平面断面図である。また、図１９は、保持部１６をキャリッジ６から取り外した状態における図１５の領域αを表す斜視図である。
【００３５】
本実施例の保持部１６は、図９から図１３などを参照するとわかるように、検出部１９が形成された基板２７を、ネジ２５でネジ孔１６ａに対してネジ止めすることにより、検出部１９を保持可能な構成になっている。なお、保持部１６を複数の機種で使用可能なように、複数種類の大きさの基板２７を保持可能な構成にしてもよい。基板２７にはケーブル２１が接続されるが、本実施例の保持部１６は、キャリッジ６の走査に伴ってケーブル２１が振動しないように、ケーブル２１の固定部１６ｆとケーブル２１の大きさに対応した孔部２３とが形成されている。このような構成により、本実施例の保持部１６には、ケーブル２１を該保持部１６にセット及び固定してから、キャリッジ６に取り付けることが可能になっている。
【００３６】
また、本実施例の保持部１６は、上側（インクの吐出方向の上流側）と、下側（インクの吐出方向の下流側）とで、キャリッジ６に確りと固定できるように構成されている。具体的には、上側においては、図１４で表されるピン孔１６ｅに図８で表されるピン６ｅを挿入した状態にして、ネジ２４でネジ孔１６ｄを介してネジ孔６ｄに対してネジ止めすることにより、上流側固定部１６ｊをキャリッジ６に確りと位置決めしつつ固定できる。そして、下側においては、図９から図１３などで表される下流側固定部１６ｉを、図８及び図１７から図１９などで表される装着部６ｉに装着して固定させることにより、キャリッジ６に確りと位置決めしつつ固定できる。
【００３７】
すなわち、本実施例の印刷装置１は、インクを吐出するヘッド４を備え、走査方向Ｂに移動可能に構成されるキャリッジ６と、走査方向Ｂに沿って目盛１８ａが形成されるスケール部１８と、目盛１８ａを読み取ってキャリッジ６の走査方向Ｂにおける位置を検出する検出部１９と、検出部１９を保持し、ヘッド４からのインクの吐出方向に沿う方向からキャリッジ６に着脱（取り付け及び取り外し）可能に設けられる保持部１６と、を備えている。  
そして、図９及び図１１などで表されるように、保持部１６は、検出部１９よりも吐出方向における上流側でキャリッジ６に固定される上流側固定部１６ｊと、検出部１９よりも吐出方向における下流側でキャリッジ６に固定される下流側固定部１６ｉと、を有している。  
本実施例の印刷装置１は、孔部２０を介して、検出部１９を保持する保持部１６を吐出方向に沿う方向からキャリッジ６に着脱（取り付け及び取り外し）可能な構成であるため、装置（印刷装置１）を分解することなく検出部１９をキャリッジ６に対して着脱でき、検出部１９のキャリッジ６に対する着脱を容易にできる。また、保持部１６は、検出部１９よりも吐出方向における上流側でキャリッジ６に固定されるとともに、検出部１９よりも吐出方向における下流側でキャリッジ６に固定されるので、検出部１９の姿勢を好適に保つことができる。
【００３８】
また、図９から図１３などで表されるように、下流側固定部１６ｉには、保持部１６がキャリッジ６に取り付けられた際に走査方向Ｂと交差する方向にキャリッジ６と当接する傾斜面（第１の傾斜面１６ｂ及び第２の傾斜面１６ｃ）が設けられている。このため、本実施例の印刷装置１は、走査方向Ｂと交差する方向に確りと当接して保持部１６をキャリッジ６に固定することができ、走査方向Ｂにキャリッジ６が移動しても検出部１９の姿勢を好適に保つことができる構成になっている。  
なお、「走査方向Ｂと交差する方向にキャリッジ６と当接する」とは、走査方向Ｂと交差する方向のベクトル成分をもつようにキャリッジ６と当接することを意味する。また、「キャリッジ６と当接する傾斜面」とは、図１５及び図１６で表される本実施例の第１の傾斜面１６ｂのように、傾斜面の端部でキャリッジ６と当接する構成も含む意味である。
【００３９】
詳細には、下流側固定部１６ｉには、傾斜面として、保持部１６における第１の側に設けられた第１の傾斜面１６ｂと、保持部１６における第１の側とは反対の第２の側に設けられた第２の傾斜面１６ｃと、が設けられている。このため、本実施例の印刷装置１は、走査方向Ｂと交差する方向における両側で確りと当接して保持部１６をキャリッジ６に固定することができる構成になっている。
【００４０】
さらに詳細には、図９及び図１０などで表されるように第２の傾斜面１６ｃは下流側固定部１６ｉにおいて走査方向Ｂに間隔を空けて２つ設けられ、図１７で表されるように下流側固定部１６ｉは第１の傾斜面１６ｂと２つの第２の傾斜面１６ｃとの３ヶ所でキャリッジ６と当接する。このため、本実施例の印刷装置１は、保持部１６をキャリッジ６に特に好適に固定することができる構成になっている。
【００４１】
なお、図１７などで表されるように、キャリッジ６の装着部６ｉは、保持部１６と接触する部分として、第１の接触部６ｂと第２の接触部６ｃとを有している。第２の接触部６ｃには、弾性体の突起２２が形成されている。第１の接触部６ｂは、第１の傾斜面１６ｂと走査方向Ｂに沿って接触し、第２の接触部６ｃは、突起２２によって第２の傾斜面１６ｃと接触する。このような構成としていることで、本実施例の印刷装置１は、キャリッジ６に対する保持部１６の固定を特に好適にできる。
【００４２】
また、図９から図１５などで表されるように、保持部１６には、上流側固定部１６ｊよりも吐出方向における上流側に突出した取っ手部１６ｇが設けられている。このため、本実施例の印刷装置１は、該取っ手部１６ｇを把持して、特に容易に保持部１６（すなわち検出部１９）をキャリッジ６に対して着脱できる構成になっている。
【００４３】
さらに、図９から図１５などで表されるように、保持部１６は、上流側固定部１６ｊよりも吐出方向における上流側に突出した突出部１６ｈが設けられている。突出部１６ｈはインクチューブ１５を支持することが可能な構成になっている。
【００４４】
また、図１５で表されるように、保持部１６がキャリッジ６に取り付けられた状態において、孔部２０における保持部１６とキャリッジ６との間にスリット状の間隔２０ａが形成される。このため、本実施例の印刷装置１は、保持部１６（すなわち検出部１９）をキャリッジ６に対して着脱する際、該間隔２０ａ（スリット）からキャリッジ６の内部が視認でき、特に容易に保持部１６（すなわち検出部１９）をキャリッジ６に対して着脱できる構成になっている。
【００４５】
また、上記のように、キャリッジ６は保持部１６を位置決めするピン６ｅを有し（図８参照）、上流側固定部１６ｊはピン６ｅを挿入するピン孔１６ｅ（図１４参照）と、ネジ２４を挿入するネジ孔１６ｄ（図１０参照）と、を有する。そして、保持部１６は、ピン６ｅがピン孔１６ｅに挿入された状態でネジ止めすることにより、キャリッジ６に固定される構成である。本実施例の印刷装置１は、このような簡単な構成で、保持部１６をキャリッジ６に確りと固定することができる。
【００４６】
なお、図１５で表されるように、本実施例の印刷装置１では、保持部１６がキャリッジ６に取り付けられた状態において、スケール部１８は検出部１９の切欠き部１９ａに配置される。スケール部１８の目盛１８ａの読み取りは、切欠き部１９ａの中心付近で行うのが好ましい。このため、スケール部１８の位置を切欠き部１９ａの中心付近に移動させることが可能なように、保持部１６に取り付けられる検出部１９の位置調整機構などを備えるのが好ましい。
【００４７】
また、本実施例の切欠き部１９ａは、上側が開放している溝状となっている。このように、切欠き部１９ａが上側のみが開放し下側が開放していない構成であることで、ヘッド４によるインクの吐出領域である検出部１９の下側からインクミストが切欠き部１９ａに入りづらく（切欠き部１９ａがインクで汚れにくく）なっている。なお、切欠き部１９ａの下側が開放していない構成においては、保持部１６のキャリッジ６に対する着脱は、スケール部１８が取り外された状態で行われる。
【００４８】
また、上記のように、保持部１６がキャリッジ６に取り付けられた状態において、スケール部１８は検出部１９の切欠き部１９ａに配置されるが、その際、上流側固定部１６ｊは、スケール部１８及び切欠き部１９ａの上部を覆うような配置となる。このため、外部からインクミストや埃などがスケール部１８及び切欠き部１９ａに付着することを抑制可能になっている。
【００４９】
なお、本発明は上記実施例に限定されることなく、特許請求の範囲に記載した発明の範囲内で種々の変形が可能であり、それらも本発明の範囲内に含まれることは言うまでもない。
【符号の説明】
【００５０】
１…印刷装置（液体吐出装置）、２…支持軸、３…支持部、４…ヘッド、
５…搬送ローラー対、６…キャリッジ、６ａ…キャリッジ６の上面部、
６ｂ…第１の接触部、６ｃ…第２の接触部、６ｄ…ネジ孔、６ｅ…ピン、
６ｉ…装着部、７…駆動ローラー、８…従動ローラー、９…テンションバー、
１０…巻取軸、１１…筐体部、１２…ヒーター、１３…ガイドレール、
１４…フレーム、１５…インクチューブ、１６…保持部、１６ａ…ネジ孔、
１６ｂ…第１の傾斜面（傾斜面）、１６ｃ…第２の傾斜面（傾斜面）、１６ｄ…ネジ孔、
１６ｅ…ピン孔、１６ｆ…固定部、１６ｇ…取っ手部、１６ｈ…突出部、
１６ｉ…下流側固定部、１６ｊ…上流側固定部、１７…ブロック、１８…スケール部、
１８ａ…目盛、１９…検出部、１９ａ…切欠き部、２０…孔部、
２０ａ…間隔（スリット）、２１…ケーブル、２２…突起、２３…孔部、２４…ネジ、
２５…ネジ、２７…基板、Ｍ…媒体、Ｒ１…媒体Ｍのロール、Ｒ２…媒体Ｍのロール
【図１】
2018130879.tif 000003
【図２】
2018130879.tif 000004
【図３】
2018130879.tif 000005
【図４】
2018130879.tif 000006
【図５】
2018130879.tif 000007
【図６】
2018130879.tif 000008
【図７】
2018130879.tif 000009
【図８】
2018130879.tif 000010
【図９】
2018130879.tif 000011
【図１０】
2018130879.tif 000012
【図１１】
2018130879.tif 000013
【図１２】
2018130879.tif 000014
【図１３】
2018130879.tif 000015
【図１４】
2018130879.tif 000016
【図１５】
2018130879.tif 000017
【図１６】
2018130879.tif 000018
【図１７】
2018130879.tif 000019
【図１８】
2018130879.tif 000020
【図１９】
2018130879.tif 000021